(57)【要約】      （修正有）【課題】ストローが変形しても被せ易く、しかもストローに密に係合して離脱し難いストローキャップを提供する。【解決手段】ストローキャップ１１は、軟質合成樹脂によって薄肉円筒状に形成されたキャップ本体１２を有し、キャップ本体１２は、円筒部１３と、円筒部１３の一方１３ａに形成された挿通口１４と、円筒部１３の他方１３ｂ側を扁平状に熱溶着して他方１３ｂ側開口１５を塞いだ扁平部１６と、円筒部１３から扁平部１６に向かって傾斜する傾斜部１７とからなり、ストロー１を挿通口１４から円筒部１３内に挿通すると、ストロー１の先端部３を傾斜部１７が内側に押圧するようにして、ストロー１に係止される。【選択図】図１
0003155055.tif 000002
【実用新案登録請求の範囲】
【請求項１】
ストローの開口端側に被着してストローの開口をカバーするストローキャップであって、
軟質合成樹脂によって薄肉円筒状に形成されたキャップ本体を有し、
キャップ本体は、
円筒部と、
円筒部の一方に形成された挿通口と、
円筒部の他方側を扁平状に熱溶着して他方側開口を塞いだ扁平部と、
円筒部から扁平部に向かって傾斜する傾斜部とからなり、
ストローを挿通口から円筒部内に挿通すると、ストローの先端部を傾斜部が内側に押圧するようにして、ストローに係止されることを特徴とするストローキャップ。
【請求項２】
ストローの開口端側に被着してストローの開口をカバーするストローキャップであって、
合成樹脂によって円筒状に形成されたキャップ本体を有し、
キャップ本体は、
内部に収納室が形成された円筒部と、
円筒部の一方に形成され、前記収納室と連通する挿通口と、
円筒部の他方に形成された開口を塞ぐカバー部とからなり、
収納室は、略直線状の内筒部と他方側に向かって狭くなるように傾斜する傾斜内筒部とで形成され、
ストローを挿通口から収納室内に挿通すると、ストローの先端部を傾斜内筒部が内側に押圧するようにして、ストローに係止されることを特徴とするストローキャップ。
【請求項３】
キャップ本体は、円筒部を略対称に二分割された第１の半体と第２の半体とからなり、
第１の半体と第２の半体は、第１の半体又は第２の半体の一方に形成された係止凸部と、第１の半体又は第２の半体の他方に形成された係止凹部が係脱可能に係止されるようになっていることを特徴とする請求項２記載のストローキャップ。
【請求項４】
前記第１の半体と前記第２の半体は、一端同士が連結片によって連結されて、他端側が開閉可能となっていることを特徴とする請求項３記載のストローキャップ。
【請求項５】
キャップ本体は、円筒部とカバー部が分割され、
円筒部とカバー部は、円筒部又はカバー部の一方に形成された係止凸部と、円筒部又はカバー部の他方に形成された係止凹部が係脱可能に係止されるようになっていることを特徴とする請求項２記載のストローキャップ。
【請求項６】
前記円筒部と前記カバー部は、一端同士が連結片によって連結されて、他端側が開閉可能となっていることを特徴とする請求項５記載のストローキャップ。
【考案の詳細な説明】
【技術分野】
【０００１】
本願考案は、ストローの一端に着脱可能に被着し、ストローの開口をカバーするストローキャップに関する。
【背景技術】
【０００２】
従来のストローキャップは、ストローの開口端側に被着してストローの開口をカバーするものであって、キャップ本体が合成樹脂によって円筒状に形成されている。キャップ本体は、内部に収納室が形成された円筒部と、円筒部の一端に形成され、前記収納室と連通する挿通口と、円筒部の他端開口を塞ぐカバー板とからなる。収納室は、略直線状の内筒部とで構成されている（例えば、特許文献１）。
【先行技術文献】
【特許文献】
【０００３】
【特許文献１】特開２０００−９５２７２号公報
【考案の概要】
【考案が解決しようとする課題】
【０００４】
従来のストローキャップは、ストローの一端に密に被着できる大きさに形成されていることが望ましい。即ち、従来のストローキャップは、これの内径とストローの外径が略同じで、ストローキャップの内周面とストローの外周面が密に摺接できる大きさが望ましい。しかし、ストローは、軟質合成樹脂で形成されているので変形し易く真円を保持することが困難であり、特に使用時に先端を摘むので変形し、従来のストローキャップを被せる時苦労するという問題点があった。そのため、従来のストローキャップは、ストローが変形してもスムーズに被着できるように、ストローキャップの内径がストローの外径より僅かでも大きくすることが考えられるが、ストローキャップの内周面とストローの外周面が密に接触しないで隙間が形成され、ストローから離脱し易いという問題点があった。
【０００５】
また、従来のストローキャップは、収納室の奥底にゴミが付着し易いが、収納室が狭いため、掃除をするのが困難であり、雑菌が発生しやすく再使用することができないという問題点があった。さらにまた、従来のストローキャップは、ストローに装着した状態で、飲料を吸引することができないので、一々外さなければならないという問題点があった。
【０００６】
本願考案は、上記問題点に鑑み案出したものであって、ストローが変形しても被せ易く、しかもストローに密に係合して離脱し難いストローキャップを提供することを第１の目的とする。また、上記効果を備え、さらに収納室全体を掃除し易い構造にしたストローキャップを提供することを第２の目的とする。さらにまた、上記効果を備え、さらにストローから外さなくても飲料を吸引することができるストローキャップを提供することを第３の目的とする。
【課題を解決するための手段】
【０００７】
本願請求項１に係るストローキャップは、上記第１の目的を達成するため、ストローの開口端側に被着してストローの開口をカバーするストローキャップであって、軟質合成樹脂によって薄肉円筒状に形成されたキャップ本体を有し、キャップ本体は、円筒部と、円筒部の一方に形成された挿通口と、円筒部の他方側を扁平状に熱溶着して他方側開口を塞いだ扁平部と、円筒部から扁平部に向かって傾斜する傾斜部とからなり、ストローを挿通口から円筒部内に挿通すると、ストローの先端部を傾斜部が内側に押圧するようにして、ストローに係止されることを特徴とする。
【０００８】
本願請求項２に係るストローキャップは、上記第１の目的を達成するため、ストローの開口端側に被着してストローの開口をカバーするストローキャップであって、合成樹脂によって円筒状に形成されたキャップ本体を有し、キャップ本体は、内部に収納室が形成された円筒部と、円筒部の一方に形成され、前記収納室と連通する挿通口と、円筒部の他方に形成された開口を塞ぐカバー部とからなり、収納室は、略直線状の内筒部と他方側に向かって内径が狭くなるように傾斜する傾斜内筒部とで形成され、ストローを挿通口から収納室内に挿通すると、ストローの先端部を傾斜内筒部が内側に押圧するようにして、ストローに係止されることを特徴とする。
【０００９】
本願請求項３に係るストローキャップは、上記第２の目的を達成するため、キャップ本体は、円筒部を略対称に二分割された第１の半体と第２の半体とからなり、第１の半体と第２の半体は、第１の半体又は第２の半体の一方に形成された係止凸部と、第１の半体又は第２の半体の他方に形成された係止凹部が係脱可能に係止されるようになっていることを特徴とする。
【００１０】
本願請求項４に係るストローキャップは、上記第２の目的を達成するため、前記第１の半体と前記第２の半体は、一端同士が連結片によって連結されて、他端側が開閉可能となっていることを特徴とする。
【００１１】
本願請求項５に係るストローキャップは、上記第３の目的を達成するため、キャップ本体は、円筒部とカバー部が分割され、円筒部とカバー部は、円筒部又はカバー部の一方に形成された係止凸部と、円筒部又はカバー部の他方に形成された係止凹部が係脱可能に係止されるようになっていることを特徴とする。
【００１２】
本願請求項６に係るストローキャップは、上記第３の目的を達成するため、円筒部とカバー部は、一端同士が連結片によって連結されて、他端側が開閉可能となっていることを特徴とする。
【考案の効果】
【００１３】
本願考案に係るストローキャップは、軟質合成樹脂によって薄肉円筒状に形成されたキャップ本体を有し、キャップ本体は、円筒部と、円筒部の一方に形成された挿通口と、円筒部の他方側を扁平状に熱溶着して他方側開口を塞いだ扁平部と、円筒部から扁平部に向かって傾斜する傾斜部とからなるので、簡単且つ安価に製造できるという効果がある。また、本願考案に係るストローキャップは、ストローの開口端側に被着してストローの開口をカバーするのであるが、ストローを挿通口から円筒部内に挿通すると、ストローの先端部を傾斜部が内側に押圧するようにして、ストローに係止されるので、ストローキャップの内径をストローの外径より大きく形成しても係止することができ、そのため、ストローが変形しても被せ易く、しかも傾斜部がストローの先端部に密に係合して離脱し難いという効果がある。
【００１４】
本願考案に係るストローキャップは、合成樹脂によって円筒状に形成されたキャップ本体を有し、キャップ本体は、内部に収納室が形成された円筒部と、円筒部の一方に形成され、前記収納室と連通する挿通口と、円筒部の他方に形成された開口を塞ぐカバー部とからなり、収納室は、略直線状の内筒部と他方側に向かって狭くなるように傾斜する傾斜内筒部とで形成されている。本願考案に係るストローキャップは、ストローの開口端側に被着してストローの開口をカバーするのであるが、ストローを挿通口から収納室内に挿通すると、ストローの先端部を傾斜内筒部が内側に押圧するようにして、ストローに係止されるので、ストローキャップの内径をストローの外径より大きく形成しても係止することができ、そのため、ストローが変形しても被せ易く、しかも傾斜内筒部がストローの先端部に密に係合して離脱し難いという効果がある。
【００１５】
本願考案に係るストローキャップは、上記効果に加え、キャップ本体は、円筒部を略対称に二分割された第１の半体と第２の半体とからなり、第１の半体と第２の半体は、第１の半体又は第２の半体の一方に形成された係止凸部と、第１の半体又は第２の半体の他方に形成された係止凹部が係脱可能に係止されるようになっているので、キャップとして使用するときには、係止凸部を係止凹部に係止させて第１の半体と第２の半体を閉じておき、掃除するときには、係止凸部を係止凹部から外して第１の半体と第２の半体を開き、収納室全体を隈無く掃除することができるという効果がある。
【００１６】
本願考案に係るストローキャップは、上記効果に加え、キャップ本体は、円筒部とカバー部が分割され、円筒部とカバー部は、円筒部又はカバー部の一方に形成された係止凸部と、円筒部又はカバー部の他方に形成された係止凹部が係脱可能に係止されるようになっているので、キャップとして使用するときには、係止凸部を係止凹部に係止させてカバー部を円筒部に閉じておき、吸引する時又は掃除する時には、係止凸部を係止凹部から外してカバー部を円筒部から開き、円筒部の開口を露出させて吸引したり、収納室全体を隈無く掃除することができるという効果がある。
【図面の簡単な説明】
【００１７】
【図１】一つの実施の形態を示すストローキャップの説明図である。
【図２】他の実施の形態を示すストローキャップの説明図である。
【図３】図２のストローキャップの使用形態を説明する断面図である。
【図４】他の実施の形態を示すストローキャップの説明図である。
【図５】図４のストローキャップの使用形態を説明する断面図である。
【考案を実施するための最良の形態】
【００１８】
本願考案に係るストローキャップの実施の形態を図１に基づいて説明する。図１は、一つの実施の形態を示すストローキャップの説明図であって、（ａ）は斜視図、（ｂ）は正面図、（ｃ）は側面図、（ｄ）は使用形態を示す断面図である。
【００１９】
ストローキャップ１１は、ストロー１の開口２端側に被着してストロー１の開口２をカバーするものである。ストローキャップ１１は、軟質合成樹脂によって薄肉円筒状に形成されたキャップ本体１２を有する。キャップ本体１２は、円筒部１３と、円筒部１３の一方１３ａに形成された挿通口１４と、円筒部１３の他方１３ｂ側を扁平状に熱溶着して他方１３ｂ側開口１５を塞いだ扁平部１６と、円筒部１３から扁平部１６に向かって傾斜する傾斜部１７とからなり、簡単且つ安価に製造できる。
【００２０】
ストローキャップ１１は、ストロー１を挿通口１４から円筒部１３内に挿通すると、ストロー１の先端部３を傾斜部１７が内側に押圧するようにして、ストロー１に係止されるので、ストローキャップ１１の内径をストロー１の外径より大きく形成しても係止することができ、そのため、ストロー１が変形しても被せ易く、しかも傾斜部１７がストロー１の先端部２に圧接して固定されるので密に係合して離脱し難い。
【００２１】
前記キャップ本体１２は、ストロー１と同様に、ポリプロピレン等の軟質合成樹脂によって、薄肉円筒状に形成されたものである。キャップ本体１２は、ストロー１を密に嵌合する程度の内径であることが望ましいが、ストロー１に被着できれば良く、特にサイズが限定されるものではない。キャップ本体１２は、円筒部１３の他方１３ｂ側が扁平状に圧潰されてから熱溶着されており、円筒部１３の他方１３ｂ側開口１５が塞がれて扁平部１６が形成されている。円筒部１３の一方１３ａ側の開口が挿通口１４を構成する。
【００２２】
ストローキャップ１１は、円筒部１３の他方１３ｂを圧潰してから熱溶着するだけで製造できるので、製造が容易で安価である。また、ストローキャップ１１は、ストロー１を挿通口１４から円筒部１３内に挿通すると、ストロー１の先端部３を傾斜部１７が内側に押圧するようにして、ストロー１に係止されるので、ストロー１の先端部３に傾斜部１７が圧接し、簡単には外れない。即ち、ストローキャップ１１は、ストロー１を挿通口１４から円筒部１３内に挿通すると、傾斜部１７がストロー１の先端部３を挟着した形となって、ストロー１に固定される。
【００２３】
本願考案に係るストローキャップの他の実施の形態を図２、３に基づいて説明する。図２は、他の実施の形態を示すストローキャップの説明図であって、（ａ）は斜視図、（ｂ）は展開斜視図、（ｃ）は展開平面図、（ｄ）は正面図である。図３は、は使用形態を示す断面図である。
【００２４】
ストローキャップ２１は、ストロー１の開口２端側に被着してストロー１の開口２をカバーするものである。ストローキャップ２１は、合成樹脂によって円筒状に形成されたキャップ本体２２を有する。キャップ本体２２は、内部に収納室２８が形成された円筒部２３と、円筒部２３の一方２３ａに形成され、前記収納室２８と連通する挿通口２４と、円筒部２３の他方２３ｂに形成された開口２５を塞ぐカバー部２６とからなる。収納室２８は、略直線状の内筒部２９と他方２３ｂ側に向かって内径が狭くなるように傾斜する傾斜内筒部２７とで形成されている。
【００２５】
ストローキャップ２１は、ストロー１を挿通口２４から収納室２８内に挿通すると、ストロー１の先端部３を傾斜内筒部２７が内側に押圧するようにして、ストロー１に係止されるので、ストローキャップ２１の内径をストロー１の外径より大きく形成しても係止することができ、そのため、ストロー１が変形しても被せ易く、しかも傾斜内筒部２７がストロー１の先端部３に密に係合して離脱し難くなる。
【００２６】
前記キャップ本体２２は、硬質合成樹脂によって、円筒状に形成されたものである。キャップ本体２２は、ストロー１を密に嵌合する程度の内径であることが望ましいが、ストロー１に被着できれば傾斜内筒部２７がストロー１の先端部３に圧接して固定されるので、特にサイズが限定されるものではない。ストローキャップ２１は、ストロー１を挿通口２４から円筒部２３内に挿通すると、ストロー１の先端部３を傾斜内筒部２７が内側に押圧するようにして、ストロー１に係止されるので、ストロー１の先端部３に傾斜内筒部２７が圧接し、簡単には外れない。即ち、ストローキャップ２１は、ストロー１を挿通口２４から円筒部２３内に挿通すると、傾斜内筒部２７がストロー１の先端部３を挟着した形となって、ストロー１に固定される。
【００２７】
前記キャップ本体２２は、合成樹脂によって円筒状に一体成形したものであるが、二つ割り形状に形成しても構わない。係る、キャップ本体２２は、円筒部２３を略対称に二分割された第１の半体３１と第２の半体３２とからなる。第１の半体３１と第２の半体３２は、一端３１ａ，３２ａ側同士が連結片３３，３４によって連結されて、他端３１ｂ，３２ｂ側が開閉可能となっている。第１の半体３１と第２の半体３２は、第１の半体３１又は第２の半体３２の一方（例えば第１の半体３１）に形成された係止凸部３５と、第１の半体３１又は第２の半体３２の他方（例えば第２の半体３２）に形成された係止凹部３６が係脱可能に係止されるようになっている。
【００２８】
即ち、係止凸部３５は第１の半体３１又は第２の半体３２の一方（例えば第１の半体３１）の他端３１ｂ側に形成され、係止凹部３６は第１の半体３１又は第２の半体３２の他方（例えば第２の半体３２）の他端３２ｂ側に形成されている。なお、キャップ本体２２は、二つ割り形状に形成されたとしても、合成樹脂により一体成形できるのは勿論である。
また、キャップ本体２２は、分離独立した第１の半体３１と第２の半体３２との合体によって構成しても構わない。
【００２９】
ストローキャップ２１は、係止凸部３５を係止凹部３６に係止させて第１の半体３１と第２の半体３２を閉じておき、ストロー１のキャップとして使用することができる。ストローキャップ２１は、係止凸部３５を係止凹部３６から外して第１の半体３１と第２の半体３２を開き、収納室２８全体を隈無く掃除することができる。そのため、ストローキャップ２１は、清潔な状態を保持することができ、長期間使用することができる。なお、ストローキャップ２１は、ストロー１から抜けなくなった時にも、係止凸部３５を係止凹部３６から外して第１の半体３１と第２の半体３２を開けば、ストロー１から簡単に外すことができる。
【００３０】
本願考案に係るストローキャップの他の実施の形態を図４、５に基づいて説明する。図４は、他の実施の形態を示すストローキャップの説明図であって、（ａ）は側面図、（ｂ）は側面断面図、（ｃ）は正面図、（ｄ）は斜視図である。図５は、使用形態を説明する断面図であって、（ａ）はカバー部を閉じた状態の断面図、（ｂ）はカバー部を開いた状態の断面図である。
【００３１】
前記キャップ本体２２は、合成樹脂によって円筒状に一体成形したものであるが、円筒部２３とカバー部２６とで分割しても構わない。係るキャップ本体２２は、円筒部２３とカバー部２６が分割され、円筒部２３とカバー部２６は、一端２３ｃ，２６ａ同士が連結片４３によって連結されて、他端２３ｄ，２６ｂ側が開閉可能となっている。円筒部２３とカバー部２６は、円筒部２３又はカバー部２６の一方（例えば円筒部２３）に形成された係止凸部４５と、円筒部２３又はカバー部２６の他方（例えばカバー部２６）に形成された係止凹部４６が係脱可能に係止されるようになっている。
【００３２】
即ち、係止凸部４５は、円筒部２３の他方２３ｂ端面２３ｅに開口２５を囲むようにしてリング状に形成されている。係止凹部４６は、カバー部２６の前記端面２３ｅに当接する当接面２６ｃに円形凹部状に形成されている。なお、係止凸部４５がカバー部２６の当接面２６ｃに形成され、係止凹部４６が円筒部２３の他方２３ｂ端面２３ｅに形成されても構わない。また、キャップ本体２２は、円筒部２３とカバー部２６で形成されたとしても、合成樹脂により一体成形できるのは勿論である。さらに、キャップ本体２２は、分離独立した円筒部２３とカバー部２６との合体によって構成しても構わない。
【００３３】
ストローキャップ２１は、係止凸部４５を係止凹部４６に係止させてカバー部２６を円筒部２３に閉じておき、ストロー１のキャップとして使用することができる。ストローキャップ２１は、係止凸部４５を係止凹部４６から外してカバー部２６を円筒部２３から開き、収納室２８全体を隈無く掃除することができる。そのため、ストローキャップ２１は、清潔な状態を保持することができ、長期間使用することができる。なお、ストローキャップ２１は、ストロー１に装着中、係止凸部４５を係止凹部４６から外してカバー部２６を円筒部２３から開けば、開口２５が露出するので、開口２５を吸引口として飲料を吸引することができる。吸引後は、係止凸部４５を係止凹部４６に係止させてカバー部２６を円筒部２３に閉じ、再びストロー１のキャップとして使用することができる。
【産業上の利用可能性】
【００３４】
本願考案に係るストローキャップは、ストローの吸引口に被せるカバー部材として利用可能である。
【符号の説明】
【００３５】
１  ストロー
２  開口
３  先端部
１１  ストローキャップ
１２  キャップ本体
１３  円筒部
１３ａ  一方
１３ｂ  他方
１４  挿通口
１５  開口
１６  扁平部
１７  傾斜部
２１  ストローキャップ
２２  キャップ本体
２３  円筒部
２３ａ  一方
２３ｂ  他方
２３ｃ  一端
２３ｄ  他端
２３ｅ  端面
２４  挿通口
２５  開口
２６  カバー部
２６ａ  一端
２６ｂ  他端
２６ｃ  当接面
２７  傾斜内筒部
２８  収納室
２９  内筒部
３１  第１の半体
３１ａ  一端
３１ｂ  他端
３２  第２の半体
３２ａ  一端
３２ｂ  他端
３３  連結片
３４  連結片
３５  係止凸部
３６  係止凹部
４３  連結片
４５  係止凸部
４６  係止凹部
【図１】
0003155055.tif 000003
【図２】
0003155055.tif 000004
【図３】
0003155055.tif 000005
【図４】
0003155055.tif 000006
【図５】
0003155055.tif 000007